(57)【要約】【課題】プレゼントである商品に対応するチケットの受け取りを簡単、かつ、直感的に分かり易く行うことができるようにする。【解決手段】携帯端末２０ａ，ｂは、画像を撮影するカメラ２６と、信号を送受信する無線通信部２４等の通信部と、画像を表示する表示部２３と、制御部であるＣＰＵ２１と、を備える。制御部であるＣＰＵ２１は、カメラ２６が撮影した画像中に手の画像が検出された場合に、無線通信部２４等の通信部を介して商品を受領するための信号を送信させ、商品に対応するチケットを受信させ、前記商品に対応する画像を、検出した手の画像に重畳させて表示部２３に表示させる。【選択図】図４
2013037395.tif 000002
【特許請求の範囲】
【請求項１】
画像を撮影するカメラと、
信号を送受信する通信部と、
前記撮影された画像を表示する表示部と、
制御部と、を備え、
前記制御部は、前記カメラが撮影した画像中に手の画像が検出された場合に、前記通信部を介して商品を受領するための信号を送信させ、前記通信部を介して前記商品に対応するチケットを受信させ、前記商品に対応する画像を前記検出された前記手の画像に重畳させて前記表示部に表示させる
携帯端末。
【請求項２】
画像を撮影するカメラと、
信号を送受信する通信部と、
前記撮影された画像を表示する表示部と、
加速度を測定する加速度センサと、
制御部と、を備え、
前記制御部は、前記加速度センサの測定した加速度に基づいて算出された向きが、手をかざすことを促すガイドを前記表示部に表示した後第１の所定時間以内に所定の角度以上変化し、かつ、前記所定の角度以上変化した状態で第２の所定時間以上保持されたと判定された場合に、前記通信部を介して商品を受領するための信号を送信させ、前記通信部を介して前記商品に対応するチケットを受信させ、前記商品に対応する画像を前記カメラで撮影した画像に重畳させて前記表示部に表示させる
携帯端末。
【請求項３】
画像を撮影するカメラと、
信号を送受信する通信部と、
前記撮影された画像を表示する表示部と、
加速度を測定する加速度センサと、
制御部と、を備え、
前記制御部は、前記加速度センサの測定した加速度に基づいて判定された向きが、前記カメラに手がかざされるときの向きであると推定される向きの範囲内である場合に、前記通信部を介して商品を受領するための信号を送信させ、前記通信部を介して前記商品に対応するチケットを受信させ、前記商品に対応する画像を前記カメラで撮影した画像に重畳させて前記表示部に表示させる
携帯端末。
【発明の詳細な説明】
【技術分野】
【０００１】
本発明は、携帯端末に関し、特に、プレゼントであるコンテンツ等の商品の受け取りを直感的に分かり易くできる携帯端末に関する。
【背景技術】
【０００２】
近年、インターネットを介して、音楽など種々のコンテンツをダウンロードすることが普及している。また、特許文献１には、このようなコンテンツを他人にプレゼントするためのシステムが開示されている。このとき、コンテンツをプレゼントされた他人は、プレゼントの受領を拒むこともできる。
【先行技術文献】
【特許文献】
【０００３】
【特許文献１】特許第４２６９０２３号公報
【発明の概要】
【発明が解決しようとする課題】
【０００４】
しかしながら、上記従来のシステムでは、コンテンツ等の商品の受け取りが面倒で直感的に分かり易くないという問題点があった。
【０００５】
本発明は、上記従来の実情に鑑みて為されたもので、プレゼントである商品に対応するチケットの受け取りを簡単、かつ、直感的に分かり易く行うことができるようにする携帯端末を提供することを目的とする。
【課題を解決するための手段】
【０００６】
前記従来の課題を解決するために、本発明の携帯端末は、画像を撮影するカメラと、信号を送受信する通信部と、前記撮影された画像を表示する表示部と、制御部と、を備え、前記制御部は、前記カメラが撮影した画像中に手の画像が検出された場合に、前記通信部を介して商品を受領するための信号を送信させ、前記通信部を介して前記商品に対応するチケットを受信させ、前記商品に対応する画像を前記検出された前記手の画像に重畳させて前記表示部に表示させるものである。
【０００７】
また、本発明の携帯端末は、画像を撮影するカメラと、信号を送受信する通信部と、前記撮影された画像を表示する表示部と、加速度を測定する加速度センサと、制御部と、を備え、前記制御部は、前記加速度センサの測定した加速度に基づいて算出された向きが、手をかざすことを促すガイドを前記表示部に表示した後第１の所定時間以内に所定の角度以上変化し、かつ、前記所定の角度以上変化した状態で第２の所定時間以上保持されたと判定された場合に、前記通信部を介して商品を受領するための信号を送信させ、前記通信部を介して前記商品に対応するチケットを受信させ、前記商品に対応する画像を前記カメラで撮影した画像に重畳させて前記表示部に表示させるものである。
【０００８】
また、本発明の携帯端末は、画像を撮影するカメラと、信号を送受信する通信部と、前記撮影された画像を表示する表示部と、加速度を測定する加速度センサと、制御部と、を備え、前記制御部は、前記加速度センサの測定した加速度に基づいて判定された向きが、前記カメラに手がかざされるときの向きであると推定される向きの範囲内である場合に、前記通信部を介して商品を受領するための信号を送信させ、前記通信部を介して前記商品に対応するチケットを受信させ、前記商品に対応する画像を前記カメラで撮影した画像に重畳させて前記表示部に表示させるものである。
【発明の効果】
【０００９】
本発明によれば、ユーザが携帯端末のカメラに手をかざすことによって、プレゼントである商品に対応するチケットを受け取ることができるとともに、チケットを受け取る場合にカメラが撮影した手の画像の上にそのチケットに対応するハンバーガーなどの商品の画像を重ねて表示させるので、商品を受け取ったことを直感的に理解でき、また、実物の商品を受け取ったかのような驚きや楽しさを演出することができる。
【図面の簡単な説明】
【００１０】
【図１】本発明の実施の形態１におけるプレゼントシステムの全体構成図
【図２】本発明の実施の形態１におけるプレゼントサーバの構成図
【図３】本発明の実施の形態１におけるプレゼントサーバの商品データテーブルのデータ構造を示す図
【図４】本発明の実施の形態１における携帯端末の構成図
【図５】本発明の実施の形態１におけるプレゼントシステムの動作を説明するシーケンス図
【図６】本発明の実施の形態１における商品受領可否判定の詳細シーケンス図
【図７】本発明の実施の形態１の変形例におけるプレゼントサーバの構成図
【図８】本発明の実施の形態１の変形例における商品受領可否判定の詳細シーケンス図
【図９】本発明の実施の形態１における携帯端末の表示例を示す図、（ａ）携帯端末からプレゼントが届いている旨の表示例を示す図、（ｂ）ガイド表示の表示例を示す図、（ｃ）カメラが撮影した手の画像の上にリボン付きの箱などのラッピングの演出の画像を重ねて表示した表示例を示す図、（ｄ）カメラが撮影した手の画像の上にハンバーガーなどの商品の画像を重ねて表示させた表示例を示す図
【図１０】本発明の実施の形態２における携帯端末の構成図
【図１１】本発明の実施の形態２における商品受領可否判定の詳細シーケンス図
【図１２】本発明の実施の形態２の変形例におけるプレゼントサーバの構成図
【図１３】本発明の実施の形態２の変形例における商品受領可否判定の詳細シーケンス図
【発明を実施するための形態】
【００１１】
以下、本発明を実施するための形態について、図面を参照しながら説明する。
【００１２】
（実施の形態１）
本発明の実施の形態１におけるプレゼントシステムは、カメラが撮影した画像に手の画像が含まれていることを検出した場合に、携帯端末を手に持っているユーザが、プレゼントの商品に対応するチケットを受け取るものである。
【００１３】
（実施の形態１におけるプレゼントシステムの構成）
まず、本発明の実施の形態１におけるプレゼントシステムの構成について、図１を使って説明する。図１は、本発明の実施の形態１におけるプレゼントシステムの全体構成図である。本発明の実施の形態１におけるプレゼントシステムは、プレゼントサーバ１０と、携帯端末２０ａ、ｂとが、基地局３０、通信ネットワーク４０などにより接続されている。また、本発明の実施の形態１におけるプレゼントシステムには、コンテンツサーバ５０、店舗端末６０などが接続されている。
【００１４】
図２は、本発明の実施の形態１におけるプレゼントサーバ１０の構成図である。プレゼントサーバ１０は、ＣＰＵ１１と、入力部１２と、表示部１３と、通信部１４と、記憶部１５とを備え、これらがバスで接続されている。
【００１５】
ＣＰＵ１１は、プレゼントサーバ１０のこれらのブロックの動作を制御する。
【００１６】
入力部１２は、ユーザのキー入力を受け付けるキー入力部その他の入力装置から構成される。また、入力部１２は、ユーザのタッチ入力を受け付けるタッチパネルその他の入力装置から構成されてもよいし、これら両者の組み合わせでもよい。
【００１７】
表示部１３は、液晶表示部等の表示装置である。表示部１３は、文字や画像などを表示する。
【００１８】
通信部１４は、通信ネットワーク４０、基地局３０などを介して、携帯端末２０ａ、ｂ、コンテンツサーバ５０、店舗端末６０などとチケットデータなどのデータの送受信を行う。
【００１９】
記憶部１５は、ＲＡＭ１５１、ＲＯＭ１５２、ハードディスク１５３などで構成される。また、記憶部１５は、不揮発性メモリなど他の記憶装置を含んでいてもよい。
【００２０】
図３は、本発明の実施の形態１におけるプレゼントサーバ１０の商品データテーブルのデータ構造を示す図である。この商品データテーブルは、ＲＡＭ１５１、ＲＯＭ１５２、ハードディスク１５３などの記憶部１５に記憶されている。図３に示すように、この商品データテーブルは、商品名、課金データ、表示データ、チケットデータなどのデータを含む。
【００２１】
ここで、チケットデータは、対応する商品の受け取りを可能とするための権利データであってもよい。また、チケットデータは、コンテンツサーバ５０に対応するコンテンツデータの送信を要求するために用いることもできる。また、チケットデータは、コンテンツサーバ５０から受信した暗号化されたコンテンツデータを復号するための復号鍵等として用いることもできる。
【００２２】
また、商品データテーブルには、商品に対応する商品販売元会社名のデータや、商品販売元会社の広告データまたはその商品の広告データを備えるようにすることもできる。
【００２３】
また、プレゼントサーバ１０は、記憶部１５に、ラッピングの演出の画像のデータを記憶するテーブルを備えるようにしてもよい。ここで、ラッピングの演出の画像は、静止画像に限らず、アニメーション画像でもよい。
【００２４】
また、プレゼントサーバ１０は、記憶部１５に、商品を贈った人を識別するためのＩＤ等のデータ、商品を受け取る人を識別するためのＩＤ等のデータ、商品購入日時、商品引き換え期限等のデータを含む販売データテーブルを備えるようにすることもできる。
【００２５】
図４は、本発明の実施の形態１における携帯端末２０ａ、ｂの構成図である。携帯端末２０ａ、ｂは、ＣＰＵ２１と、入力部２２と、表示部２３と、無線通信部２４と、記憶部２５と、カメラ２６と、画像認識部２７とを備え、これらがバスで接続されている。
【００２６】
ＣＰＵ２１は、携帯端末２０ａ、ｂのこれらのブロックの動作を制御する。
【００２７】
入力部２２は、ユーザのキー入力を受け付けるキー入力部その他の入力装置から構成されてもよいし、ユーザのタッチ入力を受け付けるタッチパネルその他の入力装置から構成されてもよいし、これら両者の組み合わせでもよい。
【００２８】
表示部２３は、液晶表示部等の表示装置である。表示部２３は、文字や画像などを表示する。入力部２２のうち、透明なタッチパネルは、表示部２３の上に重ねられて配置されている。
【００２９】
無線通信部２４は、基地局３０、通信ネットワーク４０などを介して、プレゼントサーバ１０、コンテンツサーバ５０、店舗端末６０などとチケットデータなどのデータの送受信を行う。
【００３０】
記憶部２５は、ＲＡＭ２５１、ＲＯＭ２５２、不揮発性メモリ２５３などで構成される。また、記憶部２５は、ハードディスクなど他の記憶装置を含んでいてもよい。
【００３１】
カメラ２６は、画像を撮影する。
【００３２】
画像認識部２７は、画像認識処理により、カメラ２６が撮影した画像に手の画像が含まれているか否かを判断する。なお、画像認識部２７は、専用のＩＣまたはその一部として構成してもよい。また、画像認識部２７は、ソフトウエアと、ＣＰＵ２１、記憶部２５などのハードウエアとを用いた情報処理として実現するようにしてもよい。
【００３３】
図１に戻って、基地局３０は、３Ｇ、３．９Ｇ、４Ｇなどの移動無線通信網における基地局、ＷＬＡＮ、ＷｉＦｉなどの近距離無線網における基地局などである。基地局３０は、通信ネットワーク４０に接続されている。また、基地局３０は、無線により、携帯端末２０ａ、ｂなどと接続される。
【００３４】
通信ネットワーク４０は、３Ｇ、３．９Ｇ、４Ｇなどの移動無線通信網におけるコアネットワーク、ＷＬＡＮ、ＷｉＦｉなどの近距離無線網におけるコアネットワーク、インターネットなどを含む。
【００３５】
コンテンツサーバ５０は、コンテンツデータを記憶している。コンテンツサーバ５０は、プレゼントサーバ１０からチケットデータを受け取った携帯端末２０ａ、ｂからの要求に基づいて、携帯端末２０ａ、ｂにコンテンツデータを送信する。
【００３６】
店舗端末６０は、プレゼントサーバ１０からチケットデータを受け取った携帯端末２０ａ、ｂからの要求に基づいて、ハンバーガーショップ等の店舗等において、認証等を行い、ハンバーガー等の実物の商品の引き渡しを行う。
【００３７】
（実施の形態１におけるプレゼントシステムの動作）
次に、本発明の実施の形態１におけるプレゼントシステムの動作について図５を使って説明する。図５は、本発明の実施の形態１におけるプレゼントシステムの動作を説明するシーケンス図である。図５では、携帯端末２０ａがプレゼントを贈る側の携帯端末であり、携帯端末２０ｂがプレゼントを受け取る側の携帯端末であるものとする。
【００３８】
まず、携帯端末２０ａは、プレゼントサーバ１０に接続して、商品データテーブルからプレゼントする商品を選択するとともに、プレゼントする相手またはプレゼントを受け取る側の携帯端末などを選択する。図５では、携帯端末２０ｂがプレゼントする相手である。プレゼントする相手またはプレゼントを受け取る側の携帯端末などの選択は、例えば、相手または受け取る側の携帯端末のメールアドレスにより指定することができる。または、相手または受け取る側の携帯端末の電話番号、ＳＮＳ（Social Newtork Service）アカウントなど他の方法により特定してもよい。また、携帯端末２０ａは、プレゼントする商品を選択する他にプレゼントのラッピングなどの演出を選択することもできる。また、携帯端末２０ａは、任意のメッセージを入力することもできる（ステップＳ５０２）。
【００３９】
次に、プレゼントサーバ１０は、携帯端末２０ｂに、メール等により、携帯端末２０ａからプレゼントが届いている旨の通知を行う。この通知には、プレゼントサーバ１０のＵＲＬなどのプレゼントサーバ１０に接続するために必要な情報も含まれている（ステップＳ５０４）。
【００４０】
携帯端末２０ｂは、ステップＳ５０４で受信した通知に基づいて、表示部２３に、例えば図９（ａ）に示すように、携帯端末２０ａからプレゼントが届いている旨の表示を行う。図９（ａ）は、携帯端末からプレゼントが届いている旨の表示例を示す図である。この表示には、プレゼントサーバ１０のＵＲＬが含まれていてもよい（ステップＳ５０６）。
【００４１】
次に、携帯端末２０ｂは、ステップＳ５０６の表示後、ユーザの入力部２２からの入力に基づいて、無線通信部２４を介してプレゼントサーバ１０に接続する。この入力部２２からの入力は、表示されたＵＲＬのクリックでもよいし、指定されたボタンの押下でもよい（ステップＳ５０８）。
【００４２】
次に、商品受領可否判定が行われ（ステップＳ５１０）、携帯端末２０ｂからプレゼントサーバ１０への商品受領要求の送受信があった場合には、プレゼントサーバ１０から携帯端末２０ｂへのチケットデータの送受信が行われる（ステップＳ５１２）。商品受領可否判定の詳細は、図６を用いて後述する。
【００４３】
次に、チケットデータを受信した携帯端末２０ｂは、無線通信部２４を介して、例えば、コンテンツサーバ５０からコンテンツデータをダウンロードする。または、携帯端末２０ｂは、ステップＳ５０２で選択された商品によっては、チケットデータに基づいて、ハンバーガーショップ等の店舗等において、店舗端末６０との間で認証等を行い、ハンバーガー等の実物の商品の引き渡しを行うこともできる（ステップＳ５１４、Ｓ５１６）。
【００４４】
図６は、本発明の実施の形態１における商品受領可否判定の詳細シーケンス図である。
【００４５】
携帯端末２０ｂからの接続要求（ステップＳ５０８）に基づいて、プレゼントサーバ１０は、携帯端末２０ｂにガイド情報を送信する（ステップＳ６０２）。
【００４６】
ガイド情報を受信した携帯端末２０ｂは、ガイド情報に基づいて、表示部２３に、ガイド表示を行う。ガイド表示は、例えば、図９（ｂ）に示すように「手のひらに向けてかざしてみよう」の表示のように、ユーザにカメラ２６を手のひらにかざすことを促す表示である（ステップＳ６０４）。図９（ｂ）は、ガイド表示の表示例を示す図である。
【００４７】
次に、カメラ２６で撮影を行い（ステップＳ６０６）、画像認識部２７が、画像認識処理により、カメラ２６が撮影した画像に手の画像が含まれているか否かを判断する（Ｓ６０８）。
【００４８】
そして、カメラ２６が撮影した画像に手の画像が含まれている場合（ステップＳ６１０、ＹＥＳ）、ＣＰＵ２１が、無線通信部２４を介して、プレゼントサーバ１０に商品受領要求の信号を送信する（ステップＳ６１２）。
【００４９】
プレゼントサーバ１０は、商品受領要求の信号を受信した場合は（ステップＳ６１８、ＹＥＳ）、携帯端末２０ｂにチケットデータを送信する。このとき、プレゼントサーバ１０は、携帯端末２０ｂに、チケットデータに対応する商品の画像も送信する。さらに、ステップＳ５０２においてプレゼントのラッピングなどの演出が選択されていた場合は、ラッピングなどの演出のデータも送信する（ステップＳ５１２）。
【００５０】
そして、携帯端末２０ｂは、無線通信部２４を介してこれらのデータを受信して、受信したデータと、カメラ２６が撮影した手の画像が含まれている画像に基づいて、表示部２３に、例えば、図９（ｃ）、（ｄ）に示すような表示を行う。
【００５１】
具体的には、図９（ｃ）に示すようにカメラ２６が撮影した手の画像の上にリボン付きの箱などのラッピングの演出の画像を重ねて表示させる。ここで、ラッピングの演出の画像は、静止画像に限らず、アニメーション画像でもよい。アニメーション画像を用いることにより、実際にプレゼントである商品をもらった場合と同じ感覚および手順の演出をすることができる。図９（ｃ）は、カメラ２６が撮影した手の画像の上にリボン付きの箱などのラッピングの演出の画像を重ねて表示した表示例を示す図である。
【００５２】
そして、数秒後に図９（ｄ）に示すように、カメラ２６が撮影した手の画像の上にハンバーガーなどの商品の画像を重ねて表示させる。図９（ｄ）は、カメラ２６が撮影した手の画像の上にハンバーガーなどの商品の画像を重ねて表示させた表示例を示す図である。
【００５３】
これにより、携帯端末２０ｂのユーザは、商品を受け取ったことを直感的に理解でき、また、実物の商品を受け取ったかのような驚きや楽しさを演出することができる。さらに、チケットデータやラッピングなどの演出のデータとともに、その商品に対応する商品販売元会社の広告データまたはその商品の広告データを受信した場合には、これらの広告を表示すれば、広告宣伝効果がある。
【００５４】
他方、カメラ２６が撮影した画像に手の画像が含まれていない場合（ステップＳ６１０、ＮＯ）、ステップＳ６０４のガイド表示後から所定時間経過しているときは（ステップＳ６１４、ＹＥＳ）、ＣＰＵ２１が、無線通信部２４を介して、プレゼントサーバ１０に商品受領拒否の信号を送信する（ステップＳ６１６）。
【００５５】
また、プレゼントサーバ１０は、商品受領拒否の信号を受信した場合、すなわち、商品受領要求の信号を受信しなかった場合は、携帯端末２０ｂにチケットデータを送信しない（ステップＳ６１８、ＮＯ）。
【００５６】
なお、ステップＳ６１６において、商品受領拒否の信号を送信することに代えて、商品受領保留の信号を送信するようにしてもよい。商品受領保留の信号を送信した場合には、その後、改めてステップＳ５０８以降の処理を行うことなどにより、改めてステップＳ５１２のチケットデータを受信するなどができる余地を残しておくようにすることもできる。
【００５７】
また、カメラ２６が撮影した画像に手の画像が含まれていない場合（ステップＳ６１０、ＮＯ）、ガイド表示後所定時間経過していないときは（ステップＳ６１４、ＮＯ）、ステップＳ６０６の処理を繰り返す。
【００５８】
なお、ステップＳ６１４の所定時間経過の判定は、ステップＳ６０４のガイド表示後からの経過時間に代えて、ステップＳ６０２のガイド情報受信後からの経過時間に基づくようにしてもよい。
【００５９】
（実施の形態１の変形例）
次に、本発明の実施の形態１の変形例について説明する。実施の形態１の変形例において特に言及が無い部分については実施の形態１と同様であるものとする。
【００６０】
図７に、本発明の実施の形態１の変形例におけるプレゼントサーバ１０の構成図を示す。図７において、図１のプレゼントサーバ１０と異なる点は、画像認識部１７が追加されている点である。画像認識部１７は、画像認識処理により、携帯端末２０ａ、ｂなどのカメラ２６が撮影した画像に手の画像が含まれているか否かを判断する。なお、画像認識部１７は、専用のＩＣまたはその一部として構成してもよい。また、画像認識部１７は、ソフトウエアと、ＣＰＵ１１、記憶部１５などのハードウエアとを用いた情報処理として実現するようにしてもよい。
【００６１】
図８に、本発明の実施の形態１の変形例における商品受領可否判定の詳細シーケンス図を示す。図８において、図６の商品受領可否判定と異なる点は、プレゼントサーバ１０側で画像認識処理を行って手を検出している点である。
【００６２】
具体的には、携帯端末２０ｂで、カメラ２６で撮影を行い（ステップＳ６０６）、無線通信部２４を介してその画像データをプレゼントサーバ１０に送信する。そして、プレゼントサーバ１０の通信部１４がその画像データを受信する（ステップＳ７０２）。
【００６３】
次に、プレゼントサーバ１０の画像認識部１７が、画像認識処理により、受信した画像、すなわち携帯端末２０ｂのカメラ２６が撮影した画像に手の画像が含まれているか否かを判断する（ステップＳ７０４）。
【００６４】
そして、カメラ２６が撮影した画像に手の画像が含まれている場合（ステップＳ７０６、ＹＥＳ）、プレゼントサーバ１０は、通信部１４を介して、携帯端末２０ｂにチケットデータを送信する。このとき、プレゼントサーバ１０は、携帯端末２０ｂに、チケットデータに対応する商品の画像も送信する。さらに、ステップＳ５０２（図５参照）においてプレゼントのラッピングなどの演出が選択された場合は、ラッピングなどの演出のデータも送信する（ステップＳ５１２）。
【００６５】
他方、プレゼントサーバ１０は、カメラ２６が撮影した画像に手の画像が含まれていない場合（ステップＳ７０６、ＮＯ）、ステップＳ６０２においてガイド情報を送信した後、所定時間（例えば数分程度）経過した場合は、チケットデータを携帯端末ｂに送信しない（ステップＳ７０８、ＹＥＳ）。
【００６６】
また、プレゼントサーバ１０は、カメラ２６が撮影した画像に手の画像が含まれていない場合（ステップＳ７０６、ＮＯ）、ステップＳ６０２においてガイド情報を送信した後、所定時間（例えば数分程度）経過していない場合は、ステップＳ７０２の画像データの受信を繰り返すよう試みる（ステップＳ７０８、ＮＯ）。
【００６７】
また、携帯端末２０ｂにおいては、ステップＳ６０４においてガイド情報を表示した後、所定時間（例えば数分程度）経過していない場合は、ステップＳ６０６のカメラ撮影の処理に戻る。（ステップＳ７１０、ＮＯ）。ただし、プレゼントサーバ１０からチケットデータを受信した後は、ステップＳ６０６、Ｓ７０２の処理は繰り返さなくてもよい。
【００６８】
本発明の実施の形態１の変形例においても、プレゼントサーバ１０は、携帯端末２０ｂにチケットデータを送信するときに、チケットデータに対応する商品の画像も送信する。さらに、ステップＳ５０２（図５参照）においてプレゼントのラッピングなどの演出が選択された場合は、ラッピングなどの演出のデータも送信する。
【００６９】
そして、携帯端末２０ｂは、無線通信部２４を介してこれらのデータを受信して、受信したデータと、カメラ２６が撮影した手の画像が含まれている画像に基づいて、表示部２３に、例えば、図９（ｃ）、（ｄ）に示すような表示を行う。
【００７０】
具体的には、図９（ｃ）に示すようにカメラ２６が撮影した手の画像の上にリボン付きの箱などのラッピングの演出の画像を重ねて表示させる。そして、数秒後に図９（ｄ）に示すように、カメラ２６が撮影した手の画像の上にハンバーガーなどの商品の画像を重ねて表示させる。
【００７１】
なお、ステップＳ７１０の所定時間経過の判定は、ステップＳ６０４のガイド表示後からの経過時間に代えて、ステップＳ６０２のガイド情報の受信後からの経過時間に基づくようにしてもよい。
【００７２】
（実施の形態１におけるプレゼントシステムの作用・効果）
本発明の実施の形態１におけるプレゼントシステムによれば、カメラが撮影した画像に手の画像が含まれているか否かによって、携帯端末を手に持っているユーザが、プレゼントの商品に対応するチケットを受け取るか拒否または保留するか選択できるとともに、チケットを受け取る場合には、カメラが撮影した手の画像の上にそのチケットに対応するハンバーガーなどの商品の画像を重ねて表示させるので、商品を受け取ったことを直感的に理解できる。また、カメラが撮影した手の画像の上にラッピングの演出の画像を重ねて表示されることにより、プレゼントであることが直感的に理解できる。また、実物の商品を受け取ったかのような驚きや楽しさを演出することができる。
【００７３】
すなわち、ユーザが携帯端末のカメラに手をかざすことによって、プレゼントである商品に対応するチケットを受け取ることができるとともに、チケットを受け取る場合にカメラが撮影した手の画像の上にそのチケットに対応するハンバーガーなどの商品の画像を重ねて表示させるので、商品を受け取ったことを直感的に理解でき、また、実物の商品を受け取ったかのような驚きや楽しさを演出することができる。
【００７４】
また、ユーザが携帯端末のカメラに手をかざすか否かによって、プレゼントである商品に対応するチケットを受け取るか拒否または保留するようにすれば、プレゼントである商品に対応するチケットを受け取るか拒否または保留するかを、ユーザに簡単、かつ、直感的に分かり易く選択させることもできる。
【００７５】
（実施の形態２）
本発明の実施の形態２について説明する。本発明の実施の形態２におけるプレゼントシステムは、加速度センサを用いて加速度を測定し、測定した加速度に基づいて判定した向きの変化が所定の条件を満たす場合に、ユーザが手をカメラにかざしたか否かを推定して、これに基づいて、携帯端末を手に持っているユーザが、プレゼントの商品に対応するチケットを受け取るようにするものである。なお、実施の形態２において特に言及しない点については、実施の形態１と同様であるものとする。
【００７６】
（実施の形態２におけるプレゼントシステムの構成）
図１０に、本発明の実施の形態２における携帯端末２０ａ、ｂの構成を示す。図１０において、実施の形態１の図４の携帯端末２０ａ、ｂと異なる点は、画像認識部２７に代えて、加速度センサ２８と向き判定部２９とが追加されている点である。
【００７７】
加速度センサ２８は、携帯端末２０ａ、ｂの動加速度に加えて、携帯端末２０ａ、ｂの静加速度（重力加速度）を検出する。
【００７８】
向き判定部２９は、加速度センサ２８の検出した加速度（少なくとも動加速度若しくは静加速度）に基づいて、携帯端末２０ａ、ｂの向きを判定する。
【００７９】
（実施の形態２におけるプレゼントシステムの動作）
図１１に、本発明の実施の形態２における商品受領可否判定の詳細シーケンスを示す。図１１において、実施の形態１の図６の商品受領可否判定の詳細シーケンスと異なる点を中心に説明する。
【００８０】
図６では、カメラ撮影し（ステップＳ６０６）、画像認識処理（ステップＳ６０８）により、手を検出したか否かによって、商品受領要求（ステップＳ６１２）等の処理を行っている。これに対して、図１１では、加速度センサ２８で加速度を測定する（ステップＳ８０２）。次に、向き判定部２９が、加速度センサ２８の検出した加速度（少なくとも動加速度若しくは静加速度）に基づいて、携帯端末２０ｂの向きを判定する（ステップＳ８０４）。
【００８１】
そして、ＣＰＵ２１が、加速度から計算した向きの変化の条件を満たすか否か等により、ユーザが手をカメラにかざしたか否かを推定する。そして、加速度から計算した向きの変化が所定の条件を満たす場合には（ステップＳ８０６、ＹＥＳ）、ＣＰＵ２１が、無線通信部２４を介してプレゼントサーバ１０に商品受領要求の信号を送信する（ステップＳ６１２）。
【００８２】
具体的には、ＣＰＵ２１は、手をかざすことを促すガイドを表示部２３に表示した後、例えば数秒以内など第１の所定時間以内に、加速度センサ２８の測定した加速度に基づいて判定された向きが例えば１５度以上の大きさなど所定の角度以上変化し、かつ、所定の角度以上変化した状態で例えば数秒以上など第２の所定時間以上保持されたと判定された場合に、所定の条件を満たすものとすることができる。ここで、第１の所定時間と第２の所定時間とは、同じ長さに設定することもできるが、例えば、第１の所定時間を３秒、第２の所定時間を５秒というように、第１の所定時間よりも第２の所定時間を長く設定するなど、第１の所定時間と第２の所定時間とは、異なる長さに設定することもできる（ステップＳ８０６、ＹＥＳ）。
【００８３】
他方、加速度から計算した向きの変化が、所定の条件を満たさない場合は（ステップＳ８０６、ＮＯ）、ステップＳ６０４においてガイド情報を表示した後、所定時間経過したときは（ステップＳ６１４、ＹＥＳ）、携帯端末２０ｂは、商品受領拒否の信号を送信する（Ｓ６１６）。所定時間経過していないときは（ステップＳ６１４、ＮＯ）、ステップＳ８０２の処理に戻る。
【００８４】
なお、ステップＳ６１４の所定時間経過の判定は、ステップＳ６０４のガイド表示後からの経過時間に代えて、ステップＳ６０２のガイド情報の受信後からの経過時間に基づくようにしてもよい。
【００８５】
また、実施の形態１と同様に、携帯端末２０ｂは、ステップＳ６１６において、商品受領拒否の信号を送信することに代えて、商品受領保留の信号を送信するようにしてもよい。商品受領保留の信号を送信した場合には、その後、改めてステップＳ５０８以降の処理を行うことなどにより、改めてステップＳ５１２のチケットデータを受信などができる余地を残しておくようにすることもできる。
【００８６】
（実施の形態２の変形例）
図１２に、本発明の実施の形態２の変形例におけるプレゼントサーバ１０の構成を示す。本発明の実施の形態２におけるプレゼントサーバ１０（図１のプレゼントサーバ１０）と異なる点は、向き判定部１９が追加された点である。向き判定部１９は、携帯端末２０ａ、ｂ等の加速度センサ２８の検出した加速度（少なくとも動加速度若しくは静加速度）に基づいて、携帯端末２０ａ、ｂの向きを判定する。
【００８７】
図１３に、本発明の実施の形態２の変形例における商品受領可否判定の詳細シーケンスを示す。図１１の商品受領可否判定の詳細シーケンスと異なる点を中心に説明する。
【００８８】
携帯端末２０ｂは、加速度センサ２８の検出した加速度データを、携帯端末２０ｂが無線通信部２４を介してプレゼントサーバ１０に送信し、プレゼントサーバがこれを受信する（ステップＳ９０２）。そして、プレゼントサーバ１０の向き判定部１９が、携帯端末２０ｂの加速度センサ２８の検出した加速度に基づいて、携帯端末２０ｂの向きを判定する（ステップＳ９０４）。
【００８９】
そして、向きの変化が所定の条件を満たす場合には、ユーザが手をカメラにかざしたと推定して（ステップＳ９０６、ＹＥＳ）、プレゼントサーバ１０は、通信部１４を介して携帯端末２０ｂにチケットデータなどを送信する。
【００９０】
他方、向きの変化が所定の条件を満たさない場合には、ユーザが手をカメラにかざしたと推定しないで（ステップＳ９０６、ＮＯ）、ステップＳ６０２においてガイド情報を送信した後、所定時間経過したときは（ステップＳ７０８、ＹＥＳ）、チケットデータなどを送信しないようにする。
【００９１】
（実施の形態２におけるプレゼントシステムの作用・効果）
本発明の実施の形態２におけるプレゼントシステムによれば、加速度センサを用いて測定した加速度に基づいて判定した向きの変化が所定の条件を満たすか否かなどにより、ユーザが手をカメラにかざしたか否かを推定することにより、携帯端末を手に持っているユーザが、プレゼントの商品に対応するチケットを受け取るか拒否または保留するか選択できるとともに、チケットを受け取る場合には、カメラが撮影した手の画像の上にそのチケットに対応するハンバーガーなどの商品の画像を重ねて表示させるので、商品を受け取ったことを直感的に理解できる。また、カメラが撮影した手の画像の上にラッピングの演出の画像を重ねて表示されることにより、プレゼントであることが直感的に理解できる。また、実物の商品を受け取ったかのような驚きや楽しさを演出することができる。
【００９２】
すなわち、ユーザが携帯端末のカメラに手をかざすことによって、プレゼントである商品に対応するチケットを受け取ることができるとともに、チケットを受け取る場合にカメラが撮影した手の画像の上にそのチケットに対応するハンバーガーなどの商品の画像を重ねて表示させるので、商品を受け取ったことを直感的に理解でき、また、実物の商品を受け取ったかのような驚きや楽しさを演出することができる。
【００９３】
また、ユーザが携帯端末のカメラに手をかざすか否かによって、プレゼントである商品に対応するチケットを受け取るか拒否または保留するようにすれば、プレゼントである商品に対応するチケットを受け取るか拒否または保留するかを簡単、かつ、直感的に分かり易く選択することもできる。
【００９４】
なお、実施の形態１、２においては、携帯端末２０ａ、ｂは、無線通信部２４を備えるものとして説明したが、無線通信部の機能を、有線通信も含む通信部が行うようにしてもよい。
【００９５】
また、実施の形態１、２において、前述した機能を、ソフトウエアを携帯端末２０ａ、ｂに読み込ませること等により、ソフトウエアと携帯端末２０ａ、ｂのハードウエアとの協動により実現してもよい。また、前述した機能を達成するプログラムをサーバから携帯端末２０ａ、ｂにダウンロードし、インストールするようにしてもよい。
【００９６】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９７】
本発明は、ユーザが携帯端末のカメラに手をかざすか否かによって、プレゼントである商品に対応するチケットを受け取るか拒否するか選択できるとともに、チケットを受け取る場合には、カメラが撮影した手の画像の上にそのチケットに対応するハンバーガーなどの商品の画像を重ねて表示させるので、商品を受け取ったことを直感的に理解できる。このため、本発明は、携帯端末等として有用である。
【符号の説明】
【００９８】
１０  プレゼントサーバ
１２  入力部
１３  表示部
１４  通信部
１５  記憶部
１５１  ＲＡＭ
１５２  ＲＯＭ
１５３  ハードディスク
１７  画像認識部
１９  向き判定部
２０ａ、２０ｂ  携帯端末
２２  入力部
２３  表示部
２４  無線通信部
２５  記憶部
２５１  ＲＡＭ
２５２  ＲＯＭ
２５３  不揮発性メモリ
２６  カメラ
２７  画像認識部
２８  加速度センサ
２９  向き判定部
３０  基地局
４０  通信ネットワーク
５０  コンテンツサーバ
６０  店舗端末
【図１】
2013037395.tif 000003
【図２】
2013037395.tif 000004
【図３】
2013037395.tif 000005
【図４】
2013037395.tif 000006
【図５】
2013037395.tif 000007
【図６】
2013037395.tif 000008
【図７】
2013037395.tif 000009
【図８】
2013037395.tif 000010
【図９】
2013037395.tif 000011
【図１０】
2013037395.tif 000012
【図１１】
2013037395.tif 000013
【図１２】
2013037395.tif 000014
【図１３】
2013037395.tif 000015